(57)【要約】      （修正有）【課題】ぞうり本体の先端部よりはみ出す足指の長さを長くし、さらに、足の親指と人差し指の間を、身体の本来あるべき位置に持ってくることにより、長時間の立ち仕事や歩行の負担を軽減するぞうりを提供する。【解決手段】ぞうり本体１０を編み芯に紐を編み込んで構成し、その編み芯は複数のループを有し、先端側を交差させて、ぞうり本体１０の先端部１０ａを形成し、ループの前方交差部に、前緒３０を接合し、ぞうり本体１０の先端部１０ａから足指が大きくはみ出すように構成するとともに、ぞうり本体１０は、平面視において、細長い楕円形の外縁１０ｃを有することを特徴とし、前緒３０はぞうり本体１０の縦方向の中心線上に設ける。【選択図】図１
0003214231.tif 000002
【実用新案登録請求の範囲】
【請求項１】
ぞうり本体と鼻緒と前緒を有し、前記前緒を用いて前記鼻緒を前記ぞうり本体に接合し、前記ぞうり本体は編み芯に紐を編み込んで構成するぞうりにおいて、前記編み芯は複数のループを有し、前記ループの先端側を交差させて前記ぞうり本体の先端部を形成し、前記ループの交差部に前記前緒を接合し、前記ぞうり本体の先端部から足指が大きくはみ出すように構成したぞうり。
【請求項２】
前記ぞうり本体は、平面視において細長い楕円形の外縁を有することを特徴とする請求項１に記載のぞうり。
【請求項３】
前記前緒は、前記ぞうり本体の縦方向の中心線上に位置することを特徴とする請求項１又は２に記載のぞうり。
【考案の詳細な説明】
【技術分野】
【０００１】
本考案は、楕円形のぞうり本体を備え、身体の屈筋を弛緩させるためのぞうりに関する。
【背景技術】
【０００２】
本考案に関する背景技術としては、特許文献１に示されているような草履がある。草履表面の凸部によって足裏が刺激され、足裏の活性化が促されるものであった。
【０００３】
また、草履の先端部から足指がはみ出すことにより、草履先端を足指で把持することとなり、脚部筋力の増強を図るものであった。
【先行技術文献】
【特許文献】
【０００４】
【特許文献１】実用新案登録第３１８８５３６号公報
【考案の概要】
【考案が解決しようとする課題】
【０００５】
ぞうり本体の先端部より、はみ出す足指の長さを長くすることを可能としたぞうりを提供する。
【０００６】
さらに、足の親指と人差し指の間を、身体の本来あるべき位置に持ってくることにより、安定した立ち方になり、長時間の立ち仕事や歩行の負担を軽減するぞうりを提供する。
【課題を解決するための手段】
【０００７】
本考案は、ぞうり本体と鼻緒と前緒を有し、前緒を用いて鼻緒をぞうり本体に接合し、ぞうり本体は編み芯に紐を編み込んで構成するぞうりにおいて、編み芯は複数のループを有し、先端側を交差させて、ぞうり本体の先端部を形成し、ループの前方交差部に、前緒を接合し、ぞうり本体の先端部から足指が大きくはみ出すように構成したものである。
【０００８】
また本考案のぞうり本体は、平面視において、細長い楕円形の外縁を有することを特徴とするものである。
【０００９】
さらに本考案の前緒は、ぞうり本体の縦方向の中心線上に位置することを特徴とするものである。
【考案の効果】
【００１０】
本考案の実施の形態により、ぞうり本体の先端部より、はみ出す足指の長さを長くし、足の親指と人差し指の間を、身体の本来あるべき位置に保持することが可能となり、使用者は、これを履くことによって、身体の体幹の屈筋を弛緩させることができる。
【図面の簡単な説明】
【００１１】
【図１】本考案の実施の形態に係るぞうりの平面図。
【図２】本考案の実施の形態に係るぞうりの側面図。
【図３】本考案の実施の形態に係るぞうりの編み方の概略説明図。
【図４】本考案の実施の形態に係るぞうりの編み方の概略説明図。
【図５】本考案の実施の形態に係るぞうりの編み方の概略説明図。
【図６】本考案の実施の形態に係るぞうりの編み方の概略説明図。
【図７−１】本考案の実施の形態に係る鼻緒の作り方説明図。
【図７−２】本考案の実施の形態に係る鼻緒の作り方説明図。
【図７−３】本考案の実施の形態に係る前緒の説明図。
【図７−４】本考案の実施の形態に係る鼻緒と前緒の組立説明図。
【図８】本考案の実施の形態に係るぞうりの鼻緒取り付け位置の説明図。
【図９】本考案の実施の形態に係るぞうりと鼻緒の組付け説明図。
【図１０】本考案の実施の形態に係るぞうりと鼻緒の組付け説明図。
【図１１】本考案の実施の形態に係るぞうりと鼻緒の組付け説明図。
【図１２】本考案の実施の形態に係るぞうりと鼻緒の組付け説明図。
【図１３】本考案の実施のぞうりの使用状態の平面説明図。
【図１４】本考案の実施のぞうりの使用状態の内側面説明図。
【図１５】本考案の実施の形態に係るぞうりの前緒取り付け位置の説明図。
【考案を実施するための形態】
【００１２】
編み芯に紐をざる編みする一般的な構成により、本考案の実施例１を以下に説明する。
【実施例１】
【００１３】
次に図１〜１５を参照して、本考案の実施の形態について説明する。
図１は、本考案の実施の形態に係るぞうりの平面図、図２は、図１の側面図である。
図示のように、ぞうり１は、ぞうり本体１０に設けられた鼻緒２０とぞうり本体１０    と鼻緒２０を接続する前緒３０を主要構成として備えられている。
【００１４】
ぞうり本体１０は、つま先側に位置する先端部１０ａ及び踵側に位置する後端部１０ｂを有する細長い楕円形の外縁１０ｃを有し、その表面１０ｄ及び裏面１０ｅは、ざる編みによって凹凸を有する面に編み上げられている。
【００１５】
次に、本考案の実施の形態に係るぞうり１の編み方について、靴サイズ２３ｃｍの女性用を例にとって、図３〜１２に基づいて説明する。
【００１６】
まず、図３を用いてぞうり本体１０の作り方を説明する。ぞうり本体１０の形状は、長さ約１５０ｃｍの編み芯１１を基礎として使用する。
【００１７】
図３で示すように編み芯１１は、２つのループ形状を構成する左ループ１１ａと右ループ１１ｂを有し、それらによって形成される左穴１１ｃ・中央穴１１ｄ・右穴１１ｅを構成し、編み芯１１を先端部で交差させた形状を有する。
【００１８】
その際、編み芯１１のループ形状の長手方向の長さは約３０ｃｍとなり、編み芯１１の両端部は左ループ１１ａ及び右ループ１１ｂから約１５ｃｍ程度はみ出している。
【００１９】
次に、紐１２を編み芯１１の後端側から、いわゆるざる編みによって、編み上げる。
【００２０】
上記工程で紐１２が後端から約２０ｃｍまで編みあがったら、図４で示す中央穴１１ｄに紐１２を３回通し、ぞうり本体１０を掌で押さえながら、反対の手で編み芯１１の両端部を同時に引っ張る。
その際、弛んだ紐１２を締めながらぞうり本体１０全体の形を整え図５で示すように作成する。
【００２１】
引っ張り出された編み芯１１の両端部は、ぞうり本体１０の後端部から約１８ｃｍを残して切り、ぞうり本体１０を裏返し、図６で示すように裏面１０ｅの紐１２の編み目にねじ込んで隠す。
【００２２】
紐１２の編みはじめと編み終わりの余った部分も約５ｃｍ残し切断し、先程と同様にぞうり本体１０の裏面１０ｅの紐１２の編み目にねじ込んで隠す。
【００２３】
以上の作業でぞうり本体１０が完成する。
次に、図７−１で示すように、鼻緒２０は、約６ｃｍ×８０ｃｍの鼻緒紐２１の長手方向の中心部分に約４ｃｍ×２５ｃｍの綿花２２を入れ図７−２で示すように縫い合わせる。
【００２４】
次に図７−３で示すような、幅が約１ｃｍで長さ２０ｃｍの布製の前緒３０を図７−４で示すように鼻緒２０の中心部に締め付ける。
【００２５】
次に、ぞうり本体１０に鼻緒２０と前緒３０で構成された鼻緒完成品を組み付けていく。
【００２６】
図８に示す、編み芯１１で構成された左穴１１ｃと右穴１１ｅにあるポイントａとｂに前緒３０の端を表面１０ｄから挿入する。
【００２７】
鼻緒２０の鼻緒左先端２０ａと鼻緒右先端２０ｂを、図８のぞうり本体１０の下から３分の１あたりのポイントｃとｄの位置に、表面１０ｄから挿入し図９に示すような状態にする。
【００２８】
図１０で示すように、鼻緒２０の長さを調節しながら、鼻緒２０の鼻緒左先端２０ａと鼻緒右先端２０ｂを先程差し込んだ同じポイントｃとｄに再度差し込みながら締め、ぞうり本体１０を裏返し、図１１で示すように、鼻緒２０を整え二回結び、鼻緒２０を結んだあとの余った部分は、図１２で示すように、裏面１０ｅの編み目にねじ込み隠す。
【００２９】
次に、前緒３０の長さを調整しながら図１１で示すように、前緒３０を二回結び、前緒３０を結んだあとの余った部分は、図１２で示すように、裏面１０ｅの編み目にねじ込み隠す。
【００３０】
上記実施例１のぞうり１では、左右同じものを一対として一足のぞうりとする。
【００３１】
以下に、上記構成に基づく本考案の作用について説明する。
前緒３０が編み芯１１の前方のループ交差点（ポイントａ，ｂ）にて、ぞうり本体１０に接合されているため、本考案のぞうり１を履いた場合、図１３に示すように人体の足指がぞうり本体１０から前方に大きくはみ出すこととなる。
【００３２】
このため、本考案のぞうり１を使用した人の歩行時の足裏着地は、踵、拇指球、足指の順に起こるように作用する。
【００３３】
従って、本考案のぞうり１は、身体の屈筋を弛緩させる基本的な効果を奏するものである。
【００３４】
このぞうり１は、ぞうり本体１０の表面１０ｄに、紐１２を編み込むことによってできる凹凸によりぞうり１を履くと足裏を表面１０ｄが緩やかに刺激されるように構成されているため、マッサージ効果が得られるため、血行促進が期待できる。
【００３５】
さらに前緒３０は、ぞうり本体１０における親指と人差し指との間に設置され、ぞうり１を履いた際に親指と人差し指との間が広がるように形成される。これにより、足の指の間が広げられ、外反母趾の抑制や鬱病の予防にもつながる。
【００３６】
また、前緒３０の位置が図１で示すように、ぞうり本体１０の中心線上にあることで、図１３で示すように親指と人差し指の間の位置がぞうり本体１０の中心線上となるので安定した立ち方が可能となり、長時間の立ち仕事や歩行の負担が軽減される。    
【００３７】
さらに、前緒３０がぞうり本体１０の極めて先端部１０ａ近くに接続されることにより、図１４で示すようにぞうり１を履いた時に足指がぞうり本体１０の先端部１０ａより大きくはみ出す形となっており、立っているときも、歩く際にもぞうり本体１０の先端部１０ａを足指で抱え込む形となる。
【００３８】
それによって、踵と母指球と足指の三点で身体を支えることとなり、身体の屈筋と言われる筋肉を緩めることに繋がる。屈筋が緩むということは、前屈が柔らかくなる。また、立ち方が改善されることにより、腰痛・肩こり、ほうれい線、下腹が出る等の身体の不調を改善することと繋がる。
【００３９】
なお、本考案は上記実施の形態に限定されることなく、考案の趣旨を逸脱しない範囲で種々変更可能である。
上記実施の形態では、布紐を主材料として使用しているが、ビニール紐や皮紐等を使用することも可能である。
【００４０】
また、上記実施の形態では、ぞうり本体１０の裏面１０ｅに底敷き等は付けていないが、滑り止め用の底敷きや、外履き用として厚みのあるゴム製等の底敷きを接着してもよい。
【００４１】
上記実施例１では、編み芯１１のループは2つであったが、図１５で示すように複数のループが交差する実施例２について以下に説明する。
【実施例２】
【００４２】
図１５において、前緒３０の接合は、ポイントｅとｆとｇの3ポイントのうち2ポ  イントの組み合わせとすることができる。例えば、ポイントｅとｆ、もしくはポイントｆとｇ、もしくはポイントｅとｇの組み合わせとして、前緒３０を接属することができる。
【００４３】
上記実施例２の場合、前緒３０の接合位置を適宜選定することが可能となる。また、ポイントｅとｇを選択したときには前緒３０の幅が広がり、使用時の親指と人差し指の間隔が更に広がる。
【符号の説明】
【００４４】
１        ぞうり
１０      ぞうり本体
１０ａ    先端部
１０ｂ    後端部
１０ｃ    外縁
１０ｄ    表面
１０ｅ    裏面
１１      編み芯
１１ａ    左ループ
１１ｂ    右ループ
１１ｃ    左穴
１１ｄ   中央穴
１１ｅ   右穴
１２      紐
２０      鼻緒
２０ａ    鼻緒左先端
２０ｂ    鼻緒右先端
２１     鼻緒紐
２２     綿花
３０      前緒
【図１】
0003214231.tif 000003
【図２】
0003214231.tif 000004
【図３】
0003214231.tif 000005
【図４】
0003214231.tif 000006
【図５】
0003214231.tif 000007
【図６】
0003214231.tif 000008
【図７−１】
0003214231.tif 000009
【図７−２】
0003214231.tif 000010
【図７−３】
0003214231.tif 000011
【図７−４】
0003214231.tif 000012
【図８】
0003214231.tif 000013
【図９】
0003214231.tif 000014
【図１０】
0003214231.tif 000015
【図１１】
0003214231.tif 000016
【図１２】
0003214231.tif 000017
【図１３】
0003214231.tif 000018
【図１４】
0003214231.tif 000019
【図１５】
0003214231.tif 000020